(57)【要約】【課題】エレベーター用操作盤において、操作ボタンに強い圧力が加えられたことを判別し記録できるようにする。【解決手段】乗客が操作する操作部９、操作部９を摺動させるガイド１０、操作部９を通常位置に保持するバネ１１、ボタンを照光させる光源１２ａや、ボタンが操作されたことを検出する接点スイッチ１３などを搭載したプリント基板１４、ボタンケース１６などから構成されるエレベーター用操作ボタン６において、操作部９に一定以上の強い圧力が加えられたことを検知する圧力センサー１５を搭載する。【選択図】図３
2013220864.tif 000002
【特許請求の範囲】
【請求項１】
操作部を押圧操作して接点スイッチを開閉する操作ボタンと、該操作ボタンを照光する光源と、かごの昇降方向と位置を含む情報を表示する表示器を有し、前記操作ボタンに前記操作部が受けた圧力を感知して出力信号を出す圧力センサーを設けたことを特徴とするエレベーターの操作盤。
【請求項２】
請求項１に記載のエレベーターの操作盤において、前記圧力センサーの圧力が圧力センサーに損傷を与える所定値を越えた場合に、該圧力センサーの出力信号を格納する信号記録装置を設けたことを特徴とするエレベーターの操作盤。
【請求項３】
請求項２に記載のエレベーターの操作盤において、前記圧力センサーの圧力が圧力センサーに損傷を与える所定値を越えたことを、音で警告する警告装置を設けたことを特徴とするエレベーターの操作盤。
【請求項４】
請求項２に記載のエレベーターの操作盤において、前記圧力センサーの圧力が圧力センサーに損傷を与える所定値を越えたことを、前記光源の発光形式を変えて警告する警告装置を設けたことを特徴とするエレベーターの操作盤。
【請求項５】
請求項２に記載のエレベーターの操作盤において、前記圧力センサーの圧力が圧力センサーに損傷を与える所定値を越えたことを、前記表示器に表示する警告装置を設けたことを特徴とするエレベーターの操作盤。
【請求項６】
請求項１乃至５のいずれかに記載のエレベーターの操作盤において、前記圧力センサーは、前記圧力が該圧力センサーに損傷を与える所定値を越えた場合にのみ出力を出すことを特徴とするエレベーターの操作盤。
【請求項７】
請求項１乃至６のいずれかに記載のエレベーターの操作盤に用いられる、前記操作部が受けた圧力を感知する圧力センサーを設けたことを特徴とする操作ボタン。
【発明の詳細な説明】
【技術分野】
【０００１】
本発明は、エレベーターの乗り場またはかご内に設置される、改良された操作ボタンを有する操作盤に関するものである。
【背景技術】
【０００２】
エレベーター用操作ボタンは、エレベーターの乗り場またはかご内に設置され、乗客が昇降方向の選択、行先階床の登録、ドアの開閉などを行う際に操作される。従来、エレベーター用操作ボタンは、多数の乗客によって種々の環境の中で反復して多数回操作されるために、操作ボタンが破損し故障する場合がある。従って、故障に対する耐久性が要求されると共に、定期保守作業時、または故障発生時にこれを交換する作業が必要になってくる。また、所定の耐用年数が経過すれば定期的に交換する必要がある。
【０００３】
従って、エレベーター用操作ボタンが故障すると乗客に大きな不便を強いることになるため、出来るだけ故障率の低いものが要求されるだけでなく、実際の故障前にこれを交換する必要が出てくる。
【０００４】
特許文献１には、押しボタンスイッチを用いてエレベータを操作するエレベータ操作盤において、操作ボタンの故障防止を図るものとして、操作ボタンにカバーを取り付けたものが開示されている。エレベータを操作する操作盤はカバープレートに押しボタンスイッチが取り付けられ、カバープレートから突き出る押しボタンの周囲が保護カバーで覆われる。弾性体からなる取付板の一方が保護カバーに係止され、他方はカバープレートの裏面側に引寄せられてカバープレートに固定される。
【０００５】
また、特許文献２には、通常の押圧操作力をもって押しボタン操作を行う場合だけでなく、衝撃力がかかっても機能が損なわれることなく、信頼性を確保できるエレベータ用の押しボタンスイッチが開示されている。押しボタンスイッチは、操作者による押圧操作によって壁面に対して沈降する押しボタン部と、沈降した押しボタン部の当接によりスイッチ動作するように設けられたエレベータの動作制御回路を備えたスイッチ端子部を有している。スイッチ端子部は押しボタン部の当接によって受ける圧力に応じて壁面から離間する方向に移動可能に設けられ、強い圧力が加えられた際にスイッチ部を沈降させてスイッチ部を力から逃がしている。
【先行技術文献】
【特許文献】
【０００６】
【特許文献１】特開２００６−１６７１号公報
【特許文献２】特開２００４−１８２３９６号公報
【発明の概要】
【発明が解決しようとする課題】
【０００７】
前述した従来のエレベーター用操作ボタンは、強い圧力が加えられた際でも耐える構造としたものであり、強い圧力が加えられたかどうかを判別し記録する手段を持っていない。また、一度強い圧力を受けた操作ボタンは回路基板等に目に見えないクラック等が入り、その寿命は力を受けていない健全な操作ボタンと比較すると著しく低下している可能性があり、故障に繋がる恐れがある。
【０００８】
本発明は、前述した従来技術における実情からなされたもので、その目的は操作ボタンに強い圧力が加えられたことを判別し記録する手段を有し、操作ボタンを故障前に交換可能とすることで、故障を未然に防ぐことを特徴としている。
【課題を解決するための手段】
【０００９】
本発明は、エレベーターの操作盤において、操作部を押圧操作して接点スイッチを開閉する操作ボタンと、操作ボタンを照光する光源と、かごの昇降方向と位置を含む情報を表示する表示器を有し、操作ボタンに操作部が受けた圧力を感知して出力信号を出す圧力センサーを設けたことを特徴とする。
【００１０】
また、エレベーターの操作盤において、圧力センサーの圧力が圧力センサーに損傷を与える所定値を越えた場合に、圧力センサーの出力信号を格納する信号記録装置を設けたことを特徴とする。
【００１１】
さらに、操作ボタンの内部に、一定の圧力を検知すると出力信号を出力する圧力センサーを搭載し、圧力センサーの出力信号を定期保守作業時に確認できるようにすることで、操作ボタンが強い圧力を受けたかどうかを判別し記録することを特徴とする。
【発明の効果】
【００１２】
本発明によれば、エレベーターの操作盤において、操作ボタンが強い圧力を受けたことを定期保守作業時に確認できることで、強い圧力を受けた操作ボタンが故障する前に交換することができる。
【図面の簡単な説明】
【００１３】
【図１】本発明の実施の形態を示すエレベーターの乗り場を示す概略図。
【図２Ａ】本発明の実施例１による操作ボタンを搭載したエレベーター用乗り場操作盤の正面図。
【図２Ｂ】本発明の実施例１による操作ボタンを搭載したエレベーター用乗り場操作盤の断面図。
【図３】本発明の実施例１による操作ボタンを示す断面図。
【図４Ａ】本発明の実施例２によるエレベーター用乗り場操作盤の正面図。
【図４Ｂ】本発明の実施例２によるエレベーター用乗り場操作盤の断面図。
【図５】本発明の実施例３による操作ボタンの断面図。
【図６Ａ】本発明の実施例４によるエレベーター用乗り場操作盤の正面図。
【図６Ｂ】本発明の実施例４によるエレベーター用乗り場操作盤の正面図。
【図７】本発明の圧力記録装置の一例を示すブロック図。
【発明を実施するための形態】
【００１４】
以下、本発明に係るエレベーター用操作ボタンの実施の形態を図示する実施例に基づいて説明する。
【実施例１】
【００１５】
図１は、本発明を実現させるためのエレベーターの乗り場の一例を示す正面図である。図１に示すように、エレベーターの乗り場１は乗り場ドア２、乗り場操作盤３から構成される。
【００１６】
図２Ａは乗り場操作盤３の構成を示す正面図、図２Ｂは乗り場操作盤３の構成を示す断面図である。乗り場操作盤３は例えば、表面カバー４、かごの昇降方向や位置を示す表示器５、昇降方向選択などを行う操作ボタン６、操作ボタン６の圧力センサーの出力信号を記録する信号記録装置７、操作盤ケース８などから構成される。２０は表示器５，操作ボタン６と信号記録装置７および外部との間を接続する配線である。
【００１７】
図３は操作ボタン６の構成を示す断面図である。例えば操作ボタン６は、乗客が操作する操作部９、操作部９を摺動させるガイド１０、操作部９を通常位置に保持するバネ１１、ボタンを照光させる光源１２ａや、ボタンが操作されたことを検出する接点スイッチ１３などを搭載したプリント基板１４、操作部に強い圧力が加えられたことを検出する圧力センサー１５、ボタンケース１６などから構成される。圧力センサー１５は押圧力を感知可能なセンサで、ひずみ計、圧電変換素子等から構成される。
【００１８】
操作ボタン６は、乗客が操作部９を押圧操作すると操作部９が摺動し、接点スイッチ１３が起動し、エレベーターの「呼び」などを行う。操作部９に設計定格以上の強い圧力が加えられると、操作部９は接点スイッチ１３に強く押し当てられるため、その力により操作部９、接点スイッチ１３、プリント基板１４、ボタンケース１６が損傷する恐れがある。本発明では、操作部９が一定以上の力で操作されると、圧力センサー１５が出力信号を出力し、その出力信号は例えば、乗り場操作盤内に設けられた信号記録装置７に蓄積される。
【００１９】
エレベーターの定期保守作業時に、この信号記録装置７に蓄積されたデータを確認し、操作ボタン６に強い圧力が加えられていた場合は交換作業を行うことで、操作ボタン６の故障を未然に防ぐことができる。データの読み出しは、この他にネットワーク経由で常時読み出してチェックすることもできる。
【００２０】
実施例１では、エレベーターの乗り場１に設置された乗り場操作盤３に搭載される操作ボタン６について説明したが、この操作ボタン６はかご内に設置されるかご内操作盤や、建物の居室などに設置される居室操作盤にも適用することができる。
【実施例２】
【００２１】
図４Ａは本発明の実施例２における、エレベーターの乗り場操作盤を示す正面図、図４Ｂは本発明のエレベーターの乗り場操作盤を示す断面図である。図４Ａ、４Ｂに示すように、エレベーター乗り場操作盤１０３は、表面カバー４、かごの昇降方向や位置を示す表示器５、昇降方向選択などを行う操作ボタン６、操作ボタン６の圧力センサーの出力信号を記録する信号記録装置７、スピーカー１７、操作盤ケース８から構成される。なお、表面カバー４にはスピーカー１７の音を通過させる音抜き穴１８がある。なお、操作ボタン６の構成は、図３Ａ、３Ｂに示すものと同様である。
【００２２】
操作ボタン６に強い圧力が加えられ、操作ボタン６内の圧力センサー１５が圧力を感知すると実施例１と同様に出力信号を出力する。
【００２３】
実施例２では圧力センサー１５の出力信号は信号記録装置７に蓄積されるとともに、出力信号により警告装置としてのスピーカー１７がブザー音、警告音声等のアラームを発することを特徴としている。
【００２４】
操作ボタン６に強い圧力が加えられると、スピーカー１７からアラームを発することで、ボタンを操作している乗客に注意喚起をすることができ、操作ボタン６にそれ以上の力を加えないよう働きかけることができる。
【００２５】
実施例２では、エレベーターの乗り場１に設置された乗り場操作盤３に搭載される操作ボタン６について説明したが、この操作ボタン６はかご内に設置されるかご内操作盤や、建物の居室などに設置される居室操作盤にも適用することができる。
【実施例３】
【００２６】
図５は本発明の実施例３における、エレベーター用操作ボタンの構成を示す断面図である。図５に示すように、エレベーター用操作ボタン１０６は、乗客が操作する操作部９、操作部９を摺動させるガイド１０、操作部９を通常位置に保持するバネ１１、ボタンを照光させる光源１２ｂや、ボタンが操作されたことを検出する接点スイッチ１３などを搭載したプリント基板１４、操作部に強い圧力が加えられたことを検出する圧力センサー１５、ボタンケース１６から構成される。
【００２７】
なお、光源１２ｂは通常照光時と異なる色に発光できるよう異なる２色の光源を有し、警告装置として機能する。光源１２ｂは点灯色を変更できる光源、或いは点灯形式（連続点灯、フラッシュ点灯等）を変更できる光源から構成することも出来る。
【００２８】
実施例３では圧力センサー１５の出力信号は信号記録装置７に蓄積されるとともに、出力信号によりボタンの点灯色を変更する。操作ボタン１０６に強い圧力が加えられると、操作ボタン６内部の光源１２ｂが、通常の点灯色と異なる色を発することで、操作ボタン１０６を操作している乗客に注意喚起をすることができ、操作ボタン１０６にそれ以上の力を加えないよう働きかけることができる。
【００２９】
実施例３では、エレベーターの乗り場１に設置された乗り場操作盤１０３に搭載される操作ボタン１０６について説明したが、この操作ボタン１０６はかご内に設置されるかご内操作盤や、建物の居室などに設置される居室操作盤にも適用することができる。
【実施例４】
【００３０】
図６Ａは本発明の実施例におけるエレベーターの乗り場操作盤を示す正面図、図６Ｂは本発明の実施例４におけるエレベーターの乗り場操作盤を示す断面図である。図４Ａ、４Ｂと同様に、エレベーター乗り場操作盤２０３は、表面カバー４、かごの昇降方向や位置を示す表示器５、昇降方向選択などを行う操作ボタン６、操作ボタン６の圧力センサーの出力信号を記録する信号記録装置７、操作盤ケース８などから構成される。なお、操作ボタン６の構成は、図４Ａ、４Ｂに示すものと同様である。
【００３１】
実施例４では圧力センサー１５の出力信号は信号記録装置７に蓄積されるとともに、出力信号により表示器５に、ボタンを操作している乗客に注意を促す注意を表示する注意表示部１９を表示させ、警告装置とすることを特徴としている。操作ボタン６に強い圧力が加えられると、表示器５に文字、図形等の画像を表示する注意表示部１９が表示されることで、ボタンを操作している乗客に注意喚起をすることができ、操作ボタン６にそれ以上の力を加えないよう働きかけることができる。
【００３２】
実施例４では、エレベーターの乗り場１に設置された乗り場操作盤２０３に搭載される操作ボタン６について説明したが、この操作ボタン６はかご内に設置されるかご内操作盤や、建物の居室などに設置される居室操作盤にも適用することができる。
【００３３】
図７は、実施例１〜４に用いられる信号記録装置７の制御回路の一例を示すブロック図である。図７において、７１は比較回路、７２は比較基準値、７３は切替回路、７４は圧力信号記憶回路、７５はアラーム出力回路、７６は発光出力回路、７７は表示出力回路である。
【００３４】
操作ボタン６、１０６の圧力センサー１５からの出力信号は、信号記録装置７に入力され、比較回路７１で比較基準値７２と比較され、比較基準値７２を越える値の出力信号のみが圧力信号記憶回路７４に格納され定期点検時にログ出力される。この情報によって、損傷を受けたと見なされた操作ボタン６、１０６が交換される。
【００３５】
比較回路７１の出力は、また切替回路７３に入力され、実施例２に示すアラームを出力するときはアラーム出力回路７５に入力され警告音が出される。
【００３６】
また、実施例３に示す光源の発光形式を変える場合は発光出力回路７６に入力され、光源１２ａ、１２ｂの発光形式を変えて注意を促す。
【００３７】
さらに、実施例４の表示を変える場合は、表示出力回路７７に入力され、注意表示部１９に文字図形等で注意表示を表示する。
【００３８】
なお、信号記録装置７の比較回路７１と比較基準値７２に替えて、圧力センサー１５自体に所定値以上の圧力が加わった時に初めて出力を出すセンサーを用いれば、これを省略することができる。
【００３９】
また、圧力センサー１５からの出力信号により、直接プリント基板１４の光源１２ｂを発光させる様に構成しても良い。また、実施例４の表示についても、操作ボタンの圧力センサー１５からの出力信号により、直接注意表示部１９に出力する様にしても良い。
【符号の説明】
【００４０】
１：エレベーター乗り場
２：乗り場ドア
３、１０３、２０３：乗り場操作盤
４：カバー
５：表示器
６、１０６：操作ボタン
７：信号記録装置
８：操作盤ケース
９：操作部
１２ａ、１２ｂ：光源
１３：接点スイッチ
１４：プリント基板
１５：圧力センサー
１６：ボタンケース
１７：スピーカー
１９：注意表示部
【図１】
2013220864.tif 000003
【図２Ａ】
2013220864.tif 000004
【図２Ｂ】
2013220864.tif 000005
【図３】
2013220864.tif 000006
【図４Ａ】
2013220864.tif 000007
【図４Ｂ】
2013220864.tif 000008
【図５】
2013220864.tif 000009
【図６Ａ】
2013220864.tif 000010
【図６Ｂ】
2013220864.tif 000011
【図７】
2013220864.tif 000012